(57)【要約】【課題】建築物の開口部上方の自重で下降する上部手動式シャッターの開閉機を、作業者が天井裏に潜入等することなく床面上から容易に開放動作させることができるシャッター開放装置を得る。【解決手段】建築物の開口部上方の自重で下降する上部手動式シャッターの開閉機に、建築物の天井から床面に届く長さを備えるフレキシブルシャフト９を接続して天井内に格納し、そのフレキシブルシャフトの下端に外部動力を着脱可能に連結できるコネクタソケット部１０を設け、このコネクタソケット部を外部操作型ポータブル電動巻上機１１に連結することにより、上部手動式シャッターのシャッターカーテンを下方から動力巻上可能にする。【選択図】図５
0003148106.tif 000002
【実用新案登録請求の範囲】
【請求項１】
建築物の開口部上方の自重で下降する上部手動式シャッターの開閉機に、前記建築物の天井から床面に届く長さを備えるフレキシブルシャフトを接続して天井内に格納すると共に、そのフレキシブルシャフトの下端に外部動力を着脱可能に連結できるコネクタソケット部を設け、かつそのコネクタソケット部を外部操作型ポータブル電動巻上機に連結することにより、上部手動式シャッターのシャッターカーテンを下方から動力巻上可能にしたことを特徴とする上部手動式シャッター開放装置。
【請求項２】
建築物の開口部上方の自重で下降する上部手動式シャッターの開閉機にフレキシブルシャフトを接続し、シャッターケースまたは天井には前記フレキシブルシャフトと外部動力を着脱可能に連結できるコネクタソケット部を設け、かつそのコネクタソケット部に、外部操作型ポータブル電動巻上機に一体に常備されたフレキシブルシャフトを接続することにより、上部手動式シャッターのシャッターカーテンを下方から動力巻上可能にしたことを特徴とする上部手動式シャッター開放装置。
【請求項３】
請求項１又は２記載の上部手動式シャッター開放装置であって、
前記開閉機とフレキシブルシャフト間には一方向クラッチを介在させて、開閉機の回転方向をシャッター開方向にのみ設定したことを特徴とする上部手動式シャッター開放装置。
【請求項４】
請求項１〜３のいずれか１項に記載の上部手動式シャッター開放装置であって、前記外部操作型ポータブル電動巻上機は底部にキャスタを有して移動可能とされていると共に、巻上機の電源回路に制御盤、起動スイッチ及び外部電源用コンセント又は非常用バッテリを備えていることを特徴としている上部手動式シャッター開放装置。
【請求項５】
前記外部操作型ポータブル電動巻上機は、さらにガイドレールに対して着脱可能にしたシャッターカーテン座板検出用上限リミットスイッチを備えていることを特徴とする請求項３に記載の上部手動式シャッター開放装置。
【考案の詳細な説明】
【技術分野】
【０００１】
この考案は、上部手動式シャッター装置において、シャッターカーテンの巻き上げを素早く円滑に行うことができるようにしたシャッター開放装置に関する。
【背景技術】
【０００２】
デパートや大型ショッピングストア等の商業施設では、階段、エスカレータ等の周りに、他の空間と区画するため操作方式で上部手動式と呼ばれている防火シャッターが設けられることがある。この防火シャッターは通常時は開放され、火災等の非常時にシャッターのブレーキが解放され、自重による降下で閉鎖されるようになっている。かかる防火シャッターは通常時は開閉されないため、点検等おいては作業者が後記のように手動で開閉機を回転させてシャッターを巻き取っている。すなわち天井裏又はシャッターケース内に手動開閉機を設置し、その手動開閉機に手動操作用ハンドルを差し込み、あるいは備え付けの手動チェーンを用いてその手動開閉機を回してシャッターの巻き上げを行うようにし、閉鎖はブレーキの解放によるシャッターの自重降下により行っているのである。
【０００３】
したがって上部手動式シャッター装置は、点検作業時、緊急時等においてシャッターカーテンを開放する場合は、脚立や梯子、あるいは足場を組立てて建築物の天井に設けられている点検口を開け、この点検口から前記天井裏に作業者の少なくとも上半身を潜入させ、この状態で手動操作用ハンドルを備え付け場所から取り外して前記開閉機に嵌め込んで当該出力回転軸を回転させ、チェーン式の場合は天井内に収めてある手動チェーンを点検口から垂らして、それを継続して引っぱることでシャッターカーテンを巻き上げるので、巻上作業は容易でない。
また上部手動式シャッターの開閉機は通例減速機（ブレーキ及び調速機）付であるから、ハンドル１回転につき数ミリ程度しかシャッターカーテンを巻き上げることができない。したがって、シャッターカーテンの閉鎖状態から全開状態にするために、多くの労力と時間を要していた。その結果、例えば商業施設内の設備の場合は、万が一にでも営業開始前または営業中に何らかの事態で、シャッターが降下した場合は営業が阻害されることになるので、この種のシャッター装置におけるシャッターカーテンの巻き上げを素早く円滑に行うことが望まれている。
【０００４】
そこで、操作ボックスを建築物の開口部の下方側壁面に設け、シャッターの開閉機と操作ボックス間にフレキシブルシャフトやローラ等の回転伝達部材を介在させ、操作ボックスのハンドル嵌合軸にハンドルを差し込んで開閉機の出力軸に回転トルクを伝達してシャッターの手動開放を可能にするものがある（特許文献１）。
また、上記操作ボックスのハンドル嵌合軸に、作業者の携帯用電動ドリルを着脱自在に連結する連結部を設けて、連結した上記携帯用電動ドリルでシャッターカーテンを下方から動力で巻き上げ可能にしたものも提案されている（特許文献２、３）。
【０００５】
しかし従来技術では、建築物の壁にシャッターの開閉機と操作ボックス間を連動連結するフレキシブルシャフトを埋込んだり、ローラ等の回転伝達部材を配置する操作ボックスを設置する工事が必要である。シャッターが複数ある場合はシャッター1台毎に1セット必要となる。そのうえフレキシブルシャフトは最小曲げ寸法がきまっており、また曲げ数が多いと動力の伝動効率は直線で使用する場合に較べ低減するので、フレキシブルシャフト埋設経路の確保は極めて重要であるが、設計は容易でなく、工数も多くかかる。そしてフレキシブルシャフト破損時の交換は困難であった。
【０００６】
【特許文献１】実開昭６２―９６９３号公報
【特許文献２】特開平０８―１２１０５９号公報
【特許文献３】実開平６−１０５９６号公報
【考案の開示】
【考案が解決しようとする課題】
【０００７】
この考案は上記のような課題を解決するためになされたもので、点検作業時、緊急時等において閉止状態の上部手動式シャッターの開閉機によってシャッターカーテンを開放する際に、作業者が天井裏に潜入等することなく床面上から容易に開放動作させることができるシャッター開放装置を得ることを目的とする。
【課題を解決するための手段】
【０００８】
この考案の請求項１に係る開放装置は、建築物の開口部上方の自重で下降する上部手動式シャッターの開閉機に、前記建築物の天井から床面に届く長さを備えるフレキシブルシャフトを接続して天井内に格納すると共に、そのフレキシブルシャフトの下端に外部動力を着脱可能に連結できるコネクタソケット部を設け、かつそのコネクタソケット部を外部操作型ポータブル電動巻上機に連結することにより、上部手動式シャッターのシャッターカーテンを下方から動力巻上可能にしたものである。
【０００９】
また、この考案の請求項２に係る開放装置は、建築物の開口部上方の自重で下降する上部手動式シャッターの開閉機にフレキシブルシャフトを接続し、シャッターケースまたは天井には前記フレキシブルシャフトと外部動力を着脱可能に連結できるコネクタソケット部を設け、かつそのコネクタソケット部に、外部操作型ポータブル電動巻上機に一体に常備されたフレキシブルシャフトを接続することにより、上部手動式シャッターのシャッターカーテンを下方から動力巻上可能にしたものである。
【００１０】
この考案の請求項３記載の開放装置は、前記開閉機とフレキシブルシャフト間には一方向クラッチを介在させて、開閉機の回転方向をシャッター開方向にのみ設定したことを特徴とする上部手動式シャッター開放装置である。請求項４項に記載の開放装置は、前記外部操作型ポータブル電動巻上機が底部にキャスタを有して移動可能とされていると共に、巻上機の電源回路に制御盤、起動スイッチ及び外部電源用コンセント又は非常用バッテリを備えていることを特徴としている。
【００１１】
前記外部操作型ポータブル電動巻上機は、さらにガイドレールに対して着脱可能にしたシャッターカーテン座板検出用上限リミットスイッチを備えている。リミットスイッチは必要に応じて取付けられるもので、シャッターカーテンの過巻きを防止するためのスイッチとして、巻上機の電源回路と一体結線となるように組み込まれており、シャッターカーテンの座板が所定位置に上がったときに巻上機の電源供給を絶つように結線されている。なおガイドレールは通例壁埋め込みタイプと、露出タイプがあるが、いずれにも取付けられるようにリミットスイッチは取付け金具等によりガイドレールに着脱可能とされている。
【考案の効果】
【００１２】
この考案によれば、建築物の開口部上方の設けた上部手動式シャッターの開閉機にフレキシブルシャフトにより床上の外部操作型ポータブル電動巻上機に連結することにより、上部手動式シャッターのシャッターカーテンを下方から動力巻上可能にした構成としたので、点検作業時、緊急時等において閉止状態のシャッターを開放する際、作業者が足場や脚立などの上での不安定な作業がなくなり、また点検口を開け天井内に潜入すること等による危険な高所作業を必要とせずに、前記フレキシブルシャフトを介して開閉機の出力回転軸をシャッター開方向に容易に素早く回転させ、シャッターを巻き上げることができるという効果がある。
【考案を実施するための最良の形態】
【００１３】
次にこの考案の実施の形態を図面に基いて説明する。
図１は本考案の１実施の形態を示す上部手動式シャッターの正面図、図２は同じく断面図、図３シャッターケース納まりの断面図、図４と図５はこの考案のシャッター開閉装置にフレキシブルシャフトを介して外部操作型ポータブル巻上機を接続した状態の説明図である。
【００１４】
図１に示すシャッターは、建築物の開口部上方の自重で下降する上部手動式シャッターである。開口部の両側に配置された左右一対のガイドレール１と、これらのガイドレール１の上部に設けられた軸受ブラケット１９と、前記両ガイドレール１間を昇降させるシャッターカーテン（開閉体）３と、前記軸受ブラケット１９に配置されて前記シャッターカーテン３を昇降駆動する減速機つきの開閉機４（図２参照）を備えている。そして建築物の天井６に点検口７が形成されている。
【００１５】
シャッターのシャッターカーテン（開閉体）３は、スラットを連設して構成されている。さらに詳述するとシャッターカーテン３は、前記軸受ブラケット１９に配置されて前記開閉機４で回転駆動される巻取りシャフト5により巻上げ・巻き戻しされるようになっている。開閉機４は前述したように図示しないブレーキ機構、調速機構を備え、開閉機の出力回転軸の回転を制動できるようになっている。
【００１６】
また、前記開閉機４の出力回転軸の他端部には、一方向クラッチ８を介して回転動力伝達部材であるフレキシブルシャフト９が接続されている。フレキシブルシャフト９は天井内に格納されているとともに、そのフレキシブルシャフトの下端に外部動力を着脱可能に連結できるコネクタソケット部１０を設ける。このコネクタソケット部１０には後記の外部操作型ポータブル電動巻上機１１を連結することにより、上部手動式シャッターのシャッターカーテンを下方から動力巻上可能にされている。
【００１７】
なお前記のフレキシブルシャフト９は、天井内に格納する形式のものと（図４）、天井に一体に固定しておく形式のもの（図５）の何れかの構成となっている。シャッターの納まりは天井内納まり（図２）でも、シャッターケース納まり（図３）のどちらであってもよい。
【００１８】
天井内に格納しておく形式の場合、フレキシブルシャフト９はあらかじめ建築物の天井裏より吊り落として床面に達する長さのものを準備し、天井の隅に置いておくのがよい。
使用の際にそのフレキシブルシャフトを点検口７から下に落とし、シャフトの下端に設けるコネクタソケット部１０を上部手動式シャッター近くに配置した外部操作型ポータブル電動巻上機１１に連結する。
一方、フレキシブルシャフトを天井やシャッターケースに固定しておく場合は、前記開閉機４の出力回転軸に接続したフレキシブルシャフト９ａの下端に連結したコネクタソケット部１０の差込口を床面に向くように前記天井や前記ケースの適宜な位置に下向きに設置する。
そして、天井などに固定したコネクタソケット部１０に、別に用意した補助フレキシブルシャフト９ｂ又は９ｃを接続し、これに外部から持ち込んだ外部操作型ポータブル電動巻上機１１と連結することによりシャッターカーテン３を動力巻上可能にするのである。
【００１９】
なお補助フレキシブルシャフト９ｃは本考案の電動巻上機１１に一体に常備するようにしてもよい（図６）。
【００２０】
次にポータブル巻上機１１の構成を簡単に述べると、図４、図５のとおりであって、機台底面にストッパ１７及びキャスタ１８を備えることで、少なくとも床上を移動可能な構成とされている。
また、この巻上機は電源回路に制御盤１２、起動スイッチ１３、外部電源用コンセント１５、非常用内蔵バッテリ１４及びシャッターカーテン座板検出用上限リミットスイッチ１６を有している。
【００２１】
座板検出用上限リミットスイッチ１６は、シャッターカーテンの巻上時にシャッターカーテンの過巻きを防止するためのスイッチとして、ガイドレール１の必要位置に取付けて、巻上機の電源回路と一体結線となるように組み込むことで、シャッターカーテンの座板が所定位置に上がったときに巻上機の電源供給を絶つように巻上機１１の制御盤１２に接続結線されている。
なおガイドレール１は図7に例示するように壁埋め込みタイプ（Ａ）と、露出タイプ（Ｂ，Ｃ）がある。いずれにも取付けられるようにリミットスイッチ１６は取付金具、マグネット等によりガイドレール１に着脱可能とされている。
【図面の簡単な説明】
【００２２】
【図１】上部手動式シャッターの正面図である。
【図２】図１の断面図である。
【図３】シャッター納まりの断面図である。
【図４】この考案の実施の形態１によるフレキシブルシャフトを介して外部操作型ポータブル巻上機を接続した状態の説明図である。
【図５】この考案の実施の形態２によるフレキシブルシャフトを介して外部操作型ポータブル巻上機を接続した状態の説明図である。
【図６】この考案の実施の形態３によるフレキシブルシャフトを介してポータブル巻上機を接続した状態の説明図である。
【図７】この考案のポータブル巻上機と一体結線した座板検出用上限リミットスイッチの使用説明図である。
【図８】開閉機の結線図である。
【符号の説明】
【００２３】
１ ガイドレール
２ シャッターケース（シャッター収納部）
３ シャッターカーテン（開閉体）
４ 開閉機
５ 巻取りシャフト
６ 天井（まぐさ）
７ 点検口
８ 一方向クラッチ
９回転力伝達部材（フレキシブルシャフト）
１０ コネクタソケット部
１１ ポータブル電動巻上機
１２制御盤
１３ 起動スイッチ
１４内蔵バッテリ
１５外部電源用コンセント
１６座板検出用リミットスイッチ
１７ストッパ
１８キャスタ
【図１】
0003148106.tif 000003
【図２】
0003148106.tif 000004
【図３】
0003148106.tif 000005
【図４】
0003148106.tif 000006
【図５】
0003148106.tif 000007
【図６】
0003148106.tif 000008
【図７】
0003148106.tif 000009
【図８】
0003148106.tif 000010